(57)【特許請求の範囲】
【請求項１】
画像が表示されるディスプレイパネルと、
前記ディスプレイパネルを制御する回路基板と、
前記ディスプレイパネルの後面に設置され、前記回路基板が収容される収容部が設けられた基板ブラケットと、
前記基板ブラケットの互いに対向する面に設けられ、外部の空気が前記収容部を通過して流れるようにする複数のインレットホール及びアウトレットホールと、を含み、
前記ディスプレイパネルの後面に接する前記基板ブラケットの前面には、前記ディスプレイパネルから発生した熱を前記収容部に伝達することを可能にする貫通孔が設けられることを特徴とするディスプレイユニット。
【請求項２】
前記インレットホール及び前記アウトレットホールに設置され、外部の空気が前記収容部内を通過して流れるようにする複数の送風ファンをさらに含むことを特徴とする、請求項１に記載のディスプレイユニット。
【請求項３】
前記基板ブラケットの互いに対向する二つの面には、前記インレットホールと前記アウトレットホールがそれぞれ一列に設けられることを特徴とする、請求項１又は２に記載のディスプレイユニット。
【請求項４】
前記各送風ファンは、軸流ファンからなり、その軸が前記回路基板の一面と平行に配置されることを特徴とする、請求項２に記載のディスプレイユニット。
【請求項５】
前記回路基板は、空気流動方向の上流側に配置され、入力電源を前記ディスプレイユニットで使用される駆動電源に変換させるパワーボードと、空気流動方向の下流側に配置され、前記ディスプレイパネルの動作を制御するメインボードと、を含むことを特徴とする、請求項１乃至４のいずれか１項に記載のディスプレイユニット。
【請求項６】
前記回路基板は前記ディスプレイパネルの後面と離隔するように配置され、前記回路基板と前記ディスプレイパネルとの間を介して空気が流動することを特徴とする、請求項１乃至５のいずれか１項に記載のディスプレイユニット。
【請求項７】
前記ディスプレイパネルは液晶パネルを含むことを特徴とする、請求項１乃至６のいずれか１項に記載のディスプレイユニット。
【請求項８】
前記ディスプレイパネルの前面には、前記ディスプレイパネルの破損を予防する強化ガラスが設置されることを特徴とする、請求項１乃至７のいずれか１項に記載のディスプレイユニット。
【請求項９】
開放されている前記基板ブラケットの後方側を覆うカバーをさらに含むことを特徴とする、請求項１乃至８のいずれか１項に記載のディスプレイユニット。
【請求項１０】
ハウジングと、
前記ハウジングに設置されて画像を表示する請求項１乃至９のいずれか１項に記載のディスプレイユニットと、を含む自動販売機。
【請求項１１】
前記ハウジングには、外部の空気が吸入される吸入口と、前記ディスプレイユニットを通過した空気が排出される排出口とが設けられていることを特徴とする、請求項１０に記載の自動販売機。
【請求項１２】
前記インレットホールは前記基板ブラケットの下面に設けられ、前記アウトレットホールは前記基板ブラケットの上面に設けられ、
前記吸入口は前記ハウジングの下部に設けられ、前記排出口は前記ハウジングの上部に設けられ、空気が前記ハウジング及び前記ディスプレイユニットを上下に貫通して流れることを特徴とする、請求項１１に記載の自動販売機。
【請求項１３】
前記吸入口は前記ハウジングの下面及び側面のうち少なくともいずれか一つに形成され、前記排出口は前記ハウジングの上面に形成されることを特徴とする、請求項１２に記載の自動販売機。
【発明の詳細な説明】
【技術分野】
【０００１】
本発明は、自動販売機に関するもので、より詳細には、前面に各種情報が表示されるディスプレイパネルが設けられている自動販売機に関するものである。
【背景技術】
【０００２】
一般に、ディスプレイユニットは、各種画像を表示するためのディスプレイパネルを含む。最近は、このようなディスプレイユニットが自動販売機に適用され、ディスプレイユニットでは、販売機内に貯蔵された商品に対する情報のみならず、各種広告などの情報がディスプレイされる。
【０００３】
ディスプレイユニットは、前面に画像が表示されるディスプレイパネルと、ディスプレイパネルの機能を制御するための回路を備える回路基板とを含む。
【０００４】
また、このようなディスプレイユニットが自動販売機に適用される場合、ディスプレイパネルに外部から力が加えられれば、ディスプレイパネルが容易に損傷するおそれがあるので、ディスプレイパネルの前面には高い強度を有する強化ガラスが設置される。
【発明の概要】
【発明が解決しようとする課題】
【０００５】
しかしながら、ディスプレイユニットの動作過程ではディスプレイパネルと回路基板で不可避的に熱が発生するが、前記のようにディスプレイパネルの前面に強化ガラスを設置する場合、強化ガラスは、ディスプレイパネルと回路基板で発生した熱が外部に排出されるのを防止する断熱効果を示すようになる。その結果、熱によってディスプレイユニットの誤作動が生じたり、ディスプレイパネルに劣化現象が発生し、ディスプレイユニットの寿命が短縮するという問題がある。
【０００６】
本発明は、上述した従来技術の問題を解決するためのもので、本発明の目的は、ディスプレイパネル及び回路基板で発生した熱を効果的に排出できるディスプレイユニット及びこれを備えた自動販売機を提供することにある。
【課題を解決するための手段】
【０００７】
このような目的を達成するための本発明に係るディスプレイユニットは、画像が表示されるディスプレイパネルと、前記ディスプレイパネルを制御する回路基板と、前記ディスプレイパネルの後面に設置され、前記回路基板が収容される収容部が設けられた基板ブラケットと、前記基板ブラケットの互いに対向する面に設けられ、外部の空気が前記収容部を通過して流れるようにする複数のインレットホール及びアウトレットホールと、を含むことを特徴とする。
【０００８】
また、前記インレットホール及び前記アウトレットホールにそれぞれ設置され、外部の空気が前記収容部内を通過して流れるようにする複数の送風ファンを含むことを特徴とする。
【０００９】
また、前記基板ブラケットの互いに対向する二つの面には、前記インレットホールと前記アウトレットホールがそれぞれ一列に設置されることを特徴とする。
【００１０】
また、前記送風ファンは、軸流ファンからなり、その軸が前記回路基板の一面と平行に配置されることを特徴とする。
【００１１】
また、前記回路基板は、空気流動方向の上流側に配置され、入力電源を前記ディスプレイユニットで使用される駆動電源に変換させるパワーボードと、空気流動方向の下流側に配置され、前記ディスプレイパネルの動作を制御するメインボードとを含むことを特徴とする。
【００１２】
また、前記回路基板は前記ディスプレイパネルの後面と離隔するように配置され、前記回路基板と前記ディスプレイパネルとの間を介して空気が流動することを特徴とする。
【００１３】
また、前記ディスプレイパネルは液晶パネルを含むことを特徴とする。
【００１４】
また、前記ディスプレイパネルの前面には、前記ディスプレイパネルの破損を予防する強化ガラスが設置されることを特徴とする。
【００１５】
また、開放されている前記基板ブラケットの後方側を覆うカバーをさらに含むことを特徴とする。
【００１６】
また、前記ディスプレイパネルの後面に接する前記基板ブラケットの前面には貫通孔が設けられることを特徴とする。
【００１７】
また、本発明は、ハウジングと、前記ハウジングに設置されて画像を表示するディスプレイユニットとを含む自動販売機において、前記ディスプレイユニットは、画像が表示されるディスプレイパネルと、前記ディスプレイパネルを制御する回路基板と、前記ディスプレイパネルの後面に設置され、前記回路基板が収容される収容部が設けられた基板ブラケットと、前記基板ブラケットの互いに対向する面に設けられ、外部の空気が前記収容部を通過して流れるようにする複数のインレットホール及びアウトレットホールと、を含むことを特徴とする。
【００１８】
また、前記インレットホール及び前記アウトレットホールにそれぞれ設置され、外部の空気が前記収容部内を通過して流れるようにする複数の送風ファンを含むことを特徴とする。
【００１９】
また、前記ハウジングには、外部の空気が吸入される吸入口と、前記ディスプレイユニットを通過した空気が排出される排出口とが設けられていることを特徴とする。
【００２０】
また、前記インレットホールは前記基板ブラケットの下面に設けられ、前記アウトレットホールは前記基板ブラケットの上面に設けられ、前記吸入口は前記ハウジングの下部に設けられ、前記排出口は前記ハウジングの上部に設けられ、空気が前記ハウジング及び前記ディスプレイユニットを上下に貫通して流れることを特徴とする。
【００２１】
また、前記吸入口は、前記ハウジングの下面及び側面のうち少なくともいずれか一つに形成され、前記排出口は前記ハウジングの上面に形成されることを特徴とする。
【発明の効果】
【００２２】
上述したように、本発明に係るディスプレイユニット及びこれを備えた自動販売機は、基板ブラケットにインレットホール及びアウトレットホールが設けられ、空気がインレットホール及びアウトレットホールを介して基板ブラケットの収容部内を通過し、ディスプレイパネル及び回路基板で発生した熱を吸収した後、送風ファンによって基板ブラケットの外部に排出され、ディスプレイパネル及び回路基板を冷却できるので、強化ガラスがディスプレイパネルの前面に設置されている状態でも、熱によるディスプレイユニットの誤作動及びディスプレイパネルの劣化現象の発生が予防されるという効果を有する。
【図面の簡単な説明】
【００２３】
【図１】本発明の一実施例に係る自動販売機の斜視図である。
【図２】本発明の一実施例に係る自動販売機に適用されたディスプレイユニットの斜視図である。
【図３】本発明の一実施例に係る自動販売機に適用されたディスプレイユニットの側断面図である。
【図４】本発明の一実施例に係る自動販売機の空気流動経路を示した概略図である。
【発明を実施するための形態】
【００２４】
以下では、本発明の好適な一つの実施例を図面を参照して詳細に説明する。
【００２５】
本発明が適用される自動販売機は、図１に示すように、ハウジング１０と、ハウジング１０の前面上部に設置され、商品情報や各種広告がディスプレイされるディスプレイユニット２０とを含む。
【００２６】
ハウジング１０には、ディスプレイユニット２０の一側にコインが投入されるコイン投入口１１と、紙幣が投入される紙幣投入口１２と、釣り銭が排出されるコイン排出口１３と、商品を選択するための多数のボタン１４とが設けられている。ディスプレイユニットは、スナック食品及び飲料などの消費製品に使用されたり、スロットマシン又はパチンコ機器などのゲームエンターテインメントを提供するシステムとして使用される。また、ディスプレイユニットは、ゲームエンターテインメントと関連した電子ボードによって生成される画像を表示するためのスクリーンユニットとしての役割をする。ハウジングは、図１に示すように、商品１０ｄを収容する貯蔵所１０ｃを備えている。さらに、コイン及び紙幣投入口は、システムを動作させるための支払金を収容する投入口で構成される。
【００２７】
ディスプレイユニット２０の下側には、ユーザによって選択された商品が排出される商品排出口１５が設けられており、商品は、商品排出口１５に連結されたハウジングの一部に貯蔵される。さらに、自動販売機は、紙幣及びコインを収容する上述した各構成要素を制御し、ボタン１４の選択を認識し、商品がユーザに排出されるように制御するコントローラをさらに含む。上述した各構成要素は既に知られているので、それに対する詳細な説明は省略する。
【００２８】
ディスプレイユニット２０は、図２に示すように、前面に画像が表示されるディスプレイパネル２１と、ディスプレイパネル２１を制御するための回路基板２２と、ディスプレイパネル２１の後面２１ｃに設置され、回路基板２２が収容されるように内部に収容部２３ａが設けられている基板ブラケット２３とを含む。
【００２９】
ディスプレイパネル２１は、例えば、液晶パネル２１ｂからなり、その前面２１ａには、外部から加えられた力によるディスプレイパネル２１の損傷を防止するために高い強度を有する強化ガラス２１ａが設置される。
【００３０】
回路基板２２は、外部から入力された入力電源をディスプレイユニット２０で使用される動作電源に変換させるパワーボード２２ａと、ディスプレイユニット２０の動作を全体的に制御するためのメインボード２２ｂと、自動販売機又はディスプレイユニット２０の各構成要素を制御する制御信号を受けるために外部装置と通信することによってネットワーク機能を具現するネットワークボード２２ｃと、ネットワークボード２２ｃに電源を供給するためのサブパワーボード２２ｄとを含む。
【００３１】
基板ブラケット２３は、後方側に開放された函体状に形成され、ディスプレイパネル２１の後面２１ｃに固定設置され、内面には、ディスプレイパネル２１から発生した熱が容易に基板ブラケット２３の収容部２３ａに伝達されるように多数の貫通孔２３ｂが設けられている。また、カバー２４は、縁部２３ｆに結合され、開放されている基板ブラケット２３の後方側２３ｅを覆い、基板ブラケット２３の収容部２３ａを覆うことによって回路基板２２を保護する。
【００３２】
回路基板２２は、商品排出口１５を介して放出されるディスプレイを含む商品のみならず、ディスプレイパネル２１を制御するコントローラを含む。
【００３３】
ディスプレイパネル２０と回路基板２２は、基板ブラケット内の貫通孔２３ｂを介して一つ以上の通信ライン（図示せず）を介して連結される。
【００３４】
また、本発明に係る自動販売機に適用されるディスプレイユニット２０は、ディスプレイパネル２１及び回路基板２２で発生した熱が円滑にアウトレットホール２３ｄを介してディスプレイユニット２０の外部に排出され、ディスプレイユニット２０を冷却させるように、基板ブラケット２３の互いに対向する二つの面のうちいずれか一面には、外部の空気が収容部２３ａ内に流入できるようにするインレットホール２３ｃが設けられ、他の一面には、収容部２３ａ内の空気が外部に排出されるようにするアウトレットホール２３ｄが設けられ、インレットホール２３ｃ及びアウトレットホール２３ｄには、空気をインレットホール２３ｃを介して収容部２３ａ内に案内する送風ファン２５がそれぞれ設置される。
【００３５】
各送風ファン２５のうちインレットホール２３ｃに設置された送風ファン２５は、外部の空気を基板ブラケット２３の収容部２３ａの内部にＢ方向に案内し、アウトレットホール２３ｄに設置された送風ファン２５は、空気を基板ブラケット２３の収容部２３ａを介して外部に排出する。その結果、送風ファン２５によって流動する空気は、基板ブラケット２３の収容部２３ａを一方向（Ｂ方向）に通過する。自動販売機においては、空気がハウジング１０内で下側から上側に移動することが望ましいので、インレットホール２３ｃは基板ブラケット２３の下面に設けられ、アウトレットホール２３ｄは基板ブラケット２３の上面に設けられる。この場合、空気が基板ブラケット２３の収容部２３ａを下側から上側に通過し、ディスプレイユニット２０を冷却する。
【００３６】
カバー２４は、Ｔｂの距離だけ又は基板ブラケット２３の厚さだけＡ方向にディスプレイパネル２１に固定される。パワーボード２２ａ及びメインボード２２ｂは、それぞれＴａ及びＴｃの距離だけコネクタ２２ｅによって基板ブラケット２３の内面２３ｇに固定される。さらに、ＴａとＴｃとの間の距離差が変わるとしても、一般に、距離Ｔｂは、ディスプレイユニットが完全に組み立てられたとき、Ｔａ又はＴｃよりも大きい状態で残る。
【００３７】
本実施例で、送風ファン２５は、軸方向（すなわち、Ｂ方向）に空気を流動させる軸流ファンからなり、図３に示すように、送風ファン２５の軸２５ａが回路基板２２の一面及びディスプレイパネル２１とそれぞれ平行に配置され、空気を回路基板２２及びディスプレイパネル２１と平行に流動させるようになっており、回路基板２２は、ディスプレイパネル２１の後面と所定距離だけ離隔するように設置されている。したがって、送風ファン２５によって送風ファン２５の軸方向に流動する空気は、回路基板２２とディスプレイパネル２１との間の空間を介して回路基板２２及びディスプレイパネル２１とそれぞれ平行に進行し、基板ブラケット２３の収容部２３ａを通過するようになるので、回路基板２２及びディスプレイパネル２１で発生した熱がディスプレイユニット２０の外部に排出され、回路基板２２及びディスプレイパネル２１の冷却が行われる。
【００３８】
再び図２を参照すれば、基板ブラケット２３の互いに対向する二つの面のうち下面には複数のインレットホール２３ｃが一列に設けられ、上面には複数のアウトレットホール２３ｄが一列に設けられ、インレットホール２３ｃ及びアウトレットホール２３ｄにはそれぞれ複数の送風ファンが設置され、空気が基板ブラケット２３の収容部２３ａの内部を全体的に均一に冷却できるようになっている。本実施例で、基板ブラケット２３には、下面に３個のインレットホール２３ｃが設けられ、上面に３個のアウトレットホール２３ｄが設けられており、送風ファン２５は、３個のインレットホール２３ｃ及び３個のアウトレットホール２３ｄにそれぞれ設置され、合計６個の送風ファン２５が基板ブラケット２３に設置される。
【００３９】
さらに、空気は、基板ブラケット２３の内面２３ｇとカバー２４との間のディスプレイユニット内に流動する。より詳細に、空気は、内面２３ｇとメインボード２２ｂとの間のみならず、内面２３ｇとパワーボード２２ａとの間で流動する。また、空気は、メインボード２２ｂとカバー２４との間のみならず、パワーボード２２ａとカバー２４との間で流動する。しかし、一般に、空気は、一つ以上のインレットホール２３ｃから一つ以上のアウトレットホール２３ｄに向けて上側に進行する。
【００４０】
また、回路基板２２のパワーボード２２ａとメインボード２２ｂがディスプレイユニット２０の動作において最も重要な役割をするので、ディスプレイユニット２０が安定的に動作するためには、パワーボード２２ａとメインボード２２ｂの冷却が非常に重要である。特に、パワーボード２２ａでは、メインボード２２ｂに比べて相対的に多い量の熱が発生するので、パワーボード２２ａの冷却がより重要である。したがって、本発明に係る自動販売機に適用されたディスプレイユニット２０では、パワーボード２２ａの冷却がより効率的に行われるように、パワーボード２２ａが送風ファン２５によって基板ブラケット２３の収容部２３ａを貫通して流れる空気流動方向の上流側に配置され、メインボード２２ｂが空気流動方向の下流側に配置される。本実施例では、インレットホール２３ｃ及びアウトレットホール２３ｄは、基板ブラケット２３の上面及び下面に設けられ、空気が下側から上側に基板ブラケット２３を通過し、回路基板２２及びディスプレイパネル２１を冷却するようになっている。そのため、パワーボード２２ａは、空気流動方向の上流側である基板ブラケット２３の収容部２３ａの下部に配置され、メインボード２２ｂは、空気流動方向の下流側である基板ブラケット２３の収容部２３ａの上部に配置される。
【００４１】
また、本発明に係る自動販売機のハウジング１０には、図１に示すように、ディスプレイユニット２０に外部の空気が吸入されるようにする吸入口１０ａと、ディスプレイユニット２０を冷却した空気がハウジング１０の外部に排出されるようにする排出口１０ｂとが設けられている。上述したように、自動販売機では、空気がハウジング１０の下側から上側に移動し、ディスプレイユニット２０を通過するので、吸入口１０ａはハウジング１０の下部に設けられ、排出口１０ｂはハウジング１０の上部に設けられ、空気がハウジング１０の内部を下側から上側に通過し、ディスプレイユニット２０を冷却できるようになっている。吸入口１０ａは、ハウジング１０の下面（図示せず）及び側面のうち少なくともいずれか一つに設けられ、排出口１０ｂはハウジング１０の上面に設けられる。また、図面に示していないが、吸入口１０ａには、吸入口１０ａを介して吸入される外部の空気に含まれた埃などの異物をろ過する埃フィルタが設置される。
【００４２】
したがって、図４に示すように、空気は、ハウジング１０の下面及び側面に設けられた吸入口１０ａを介してハウジング１０内に吸入され、ディスプレイユニット２０を通過し、ディスプレイユニット２０のディスプレイパネル２１及び回路基板２２で発生した熱を吸収した後、排出口１０ｂを介して外部に排出されるので、ディスプレイパネル２１の前面に強化ガラス２１ａが設置されている状態でも、ディスプレイパネル２１及び回路基板２２がインレットホール２３ｃ及びアウトレットホール２３ｄを介して流動する空気によって冷却され、ディスプレイユニット２０の誤作動及びディスプレイパネル２１の劣化現象の発生が防止される。
【符号の説明】
【００４３】
１０    ハウジング
１０ａ  吸入口
１０ｂ  排出口
２０    ディスプレイユニット
２１    ディスプレイパネル
２１ａ  強化ガラス
２２    回路基板
２２ａ  パワーボード
２２ｂ  メインボード
２３    基板ブラケット
２３ａ  収容部
２３ｂ  貫通孔
２３ｃ  インレットホール
２３ｄ  アウトレットホール
２４    カバー
２５    送風ファン
【図１】
0005400139.tif 000002
【図２】
0005400139.tif 000003
【図３】
0005400139.tif 000004
【図４】
0005400139.tif 000005